(57)【要約】【課題】受信性能を向上させた受信機を提供すること。【解決手段】本発明に係る受信機は、入力信号の大きさに応じて、無線周波数信号を増幅させる可変利得増幅部２４１と、可変利得増幅部で増幅された信号を周波数変換する周波数変換部２４２と、周波数変換部で周波数変換された信号をフィルタリングするフィルタ部２１５と、可変利得増幅部で増幅された信号の電力を検出して、第１制御信号を出力する第１補償手段２３１と、周波数変換部で周波数変換された信号の強度を検出して、第２制御信号を出力する第２補償手段２３２と、フィルタ部でフィルタリングされた信号の強度を検出して、第３制御信号を出力する第３補償手段２３３と、を備え、第１制御信号、第２制御信号及び第３制御信号によって可変利得増幅部の利得が変化するようにした。【選択図】図２
2008054314.tif 000002
【特許請求の範囲】
【請求項１】
入力信号の大きさに応じて、無線周波数信号を増幅させる可変利得増幅部と、
前記可変利得増幅部で増幅された信号を周波数変換する周波数変換部と、
前記周波数変換部で周波数変換された信号をフィルタリングするフィルタ部と、
前記可変利得増幅部で増幅された信号の電力を検出して、その検出結果に応じて第１制御信号を出力する第１補償手段と、
前記周波数変換部で周波数変換された信号の強度を検出して、その検出結果に応じて第２制御信号を出力する第２補償手段と、
前記フィルタ部でフィルタリングされた信号の強度を検出して、その検出結果に応じて第３制御信号を出力する第３補償手段と、
を備え、
前記第１制御信号、第２制御信号及び第３制御信号によって前記可変利得増幅部の利得が変化する、受信機。
【請求項２】
前記第１補償手段は、
前記可変利得増幅部で増幅された信号の電力を検出する電力検出部と、
前記電力検出部により検出された電力検出信号レベルと第１基準信号レベルとを比較して、その比較結果に応じて前記第１制御信号を出力する第１比較部と、
を備える、請求項１に記載の受信機。
【請求項３】
前記第２補償手段は、
前記周波数変換部で周波数変換された信号の強度を検出する第１受信信号強度指示器と、
前記第１受信信号強度指示器により検出された第１受信強度検出信号レベルと第２基準信号レベルとを比較して、その比較結果に応じて前記第２制御信号を出力する第２比較部と、
を備える、請求項１に記載の受信機。
【請求項４】
前記第３補償手段は、
前記フィルタ部でフィルタリングされた信号の強度を検出する第２受信信号強度指示器と、
前記第２受信信号強度指示器により検出された第２受信強度検出信号レベルと第３基準信号レベルとを比較して、その比較結果に応じて前記第３制御信号を出力する第３比較部と、
を備える、請求項１に記載の受信機。
【請求項５】
前記可変利得増幅部は、低雑音増幅器及び利得増幅器を備える、請求項１に記載の受信機。
【請求項６】
前記周波数変換部は、
前記無線周波数信号を周波数変換する混合器と、
前記混合器で周波数変換された信号をフィルタリングする第１フィルタと、
を備える、請求項１に記載の受信機。
【請求項７】
前記受信機は、前記第１制御信号、第２制御信号及び第３制御信号を受信して、前記可変利得増幅部の利得を変化させる利得制御器をさらに備える、請求項１に記載の受信機。
【請求項８】
可変利得増幅部、周波数変換部及びフィルタ部を備える受信機に備えられ、前記可変利得増幅部の利得を制御する増幅利得制御装置において、
前記可変利得増幅部で増幅された信号の電力を検出して、その検出結果に応じて第１制御信号を出力する第１補償手段と、
前記周波数変換部で周波数変換された信号の強度を検出して、その検出結果に応じて第２制御信号を出力する第２補償手段と、
前記フィルタ部でフィルタリングされた信号の強度を検出して、その検出結果に応じて第３制御信号を出力する第３補償手段と、
を備え、
前記第１制御信号、第２制御信号及び第３制御信号によって前記可変利得増幅部の利得が変化する、増幅利得制御装置。
【発明の詳細な説明】
【技術分野】
【０００１】
本発明は、受信機及びその増幅利得制御装置に関し、さらに詳細には、受信性能を向上させるための増幅利得制御装置を備える受信機に関する。
【背景技術】
【０００２】
図１は、従来の自動利得制御回路を備える受信機１００のブロック図である。図１に示すように、受信機１００は、受信部１１０と利得制御部１２０で構成される。受信部１１０は、低雑音増幅器（Ｌｏｗ  Ｎｏｉｓｅ  Ａｍｐｌｉｆｉｅｒ； ＬＮＡ）１１１、映像除去混合器（Ｉｍａｇｅ−Ｒｅｊｅｃｔｉｏｎ  Ｍｉｘｅｒ； ＩＲＭ）１１２、低域通過フィルタ（Ｌｏｗ  Ｐａｓｓ  Ｆｉｌｔｅｒ； ＬＰＦ）１１３及び可変利得増幅器（Ｖａｒｉａｂｌｅ  Ｇａｉｎ  Ａｍｐｌｉｆｉｅｒ； ＶＧＡ）１１４で構成される。利得制御部１２０は、利得制御器１２３、ＲＦ  ＲＳＳＩ（Ｒｅｃｅｉｖｅｄ  Ｓｉｇｎａｌ  Ｓｔｒｅｎｇｔｈ  Ｉｎｄｉｃａｔｏｒ）１２１及び比較器１２２で構成される。
【０００３】
ＬＮＡ１１１は、受信された信号に含まれた雑音の増幅を最大限抑制しながら、かつ、信号を増幅させる。ＩＲＭ１１２は、 受信された信号を映像除去して周波数変換し、映像周波数成分をろ過して寄生周波数成分を除去する。すなわち、ＩＲＭ１１２は、ＲＦ端とＩＦ端とを分離するので、受信部１１０の安定性を確保する。ＬＰＦ１１３は、特定の低域帯域のみを適切にろ過できるように構成され、ろ過された信号は、再度ＶＧＡ１１４で増幅される。ここで、ＬＮＡ１１１のみでは微弱な受信信号を十分に増幅させることができないため、高精度な電力調節のために、ＶＧＡ１１４を使用して任意の利得に調節して増幅できるように回路を構成する。全過程を経た信号は、映像周波数が除去され、かつ、増幅された、中間周波数の信号として出力される。
【０００４】
利得制御器１２３は、ＬＮＡ１１１、ＩＲＭ１１２及びＶＧＡ１１４それぞれの利得を補償するための制御信号を出力する。ＲＦ  ＲＳＳＩ１２１は、ＬＰＦ１１３から出力された信号の強度を測定する。利得制御部１２０の比較器１２２は、ＲＦ  ＲＳＳＩ１２１で測定された信号の強度を基に、利得を補償しなければならない値を利得制御器１２３に送信する。
【０００５】
結局、ＲＦ  ＡＧＣ（Ａｕｔｏｍａｔｉｃ  Ｇａｉｎ  Ｃｏｎｔｒｏｌ）ループでは、ＬＰＦ出力信号から入力信号電力を感知するようになるので、所望のチャネルの電力のみを感知して、ＲＦ  ＡＧＣループの利得ステージの利得を制御する。ここで、ＲＦ  ＡＧＣループは、ＬＮＡ１１１、ＩＲＭ１１２、ＬＰＦ１１３、ＶＧＡ１１４、ＲＦ  ＲＳＳＩ１２１、比較器１２２、利得制御器１２３からなる。
【発明の開示】
【発明が解決しようとする課題】
【０００６】
しかしながら、上記の従来の構成の場合、入力された信号のうち、所望のチャネルに小さな信号が印加され、所望しないチャネルに大きな雑音信号が共に印加される場合、所望のチャネルの小さな信号を増幅すると、ＬＮＡ１１１が飽和（ｓａｔｕｒａｔｉｏｎ）されて、受信機１００は正常に動作できなくなる。そこで、本発明は、上述した従来の技術の問題点を解決するためになされたものであって、その目的は、受信機の受信性能を向上させることにある。
【課題を解決するための手段】
【０００７】
上述した課題を解決するための本発明に係る受信機は、入力信号の大きさに応じて、無線周波数信号を増幅又は減衰させる可変利得増幅部と、前記可変利得増幅部で増幅された信号を周波数変換する周波数変換部と、前記周波数変換部で周波数変換された信号をフィルタリングするフィルタ部と、前記可変利得増幅部で増幅された信号の電力を検出して、その検出結果に応じて第１制御信号を出力する第１補償手段と、前記周波数変換部で周波数変換された信号の強度を検出して、その検出結果に応じて第２制御信号を出力する第２補償手段と、前記フィルタ部でフィルタリングされた信号の強度を検出して、その検出結果に応じて第３制御信号を出力する第３補償手段と、を備え、前記第１制御信号、第２制御信号及び第３制御信号によって前記可変利得増幅部の利得が変化することを特徴とする。
【０００８】
ここで、前記第１補償手段は、前記可変利得増幅部で増幅された信号の電力を検出する電力検出部と、前記電力検出部により検出された電力検出信号レベルと第１基準信号レベルとを比較して、その比較結果に応じて第１制御信号を出力する第１比較部と、を備えることが好ましい。
【０００９】
ここで、前記第２補償手段は、前記周波数変換部で周波数変換された信号の強度を検出する第１受信信号強度指示器と、前記第１受信信号強度指示器により検出された第１受信強度検出信号レベルと第２基準信号レベルとを比較して、その比較結果に応じて第２制御信号を出力する第２比較部と、を備えることが好ましい。
【００１０】
ここで、前記第３補償手段は、前記フィルタ部でフィルタリングされた信号の強度を検出する第２受信信号強度指示器と、前記第２受信信号強度指示器により検出された第２受信強度検出信号レベルと第３基準信号レベルとを比較して、その比較結果に応じて第３制御信号を出力する第３比較部と、を備えることが好ましい。
【００１１】
ここで、前記可変利得増幅部は、低雑音増幅器及び利得増幅器を備えることが好ましい。
【００１２】
ここで、前記周波数変換部は、前記無線周波数信号を周波数変換する混合器と、前記混合器によって周波数変換された信号をフィルタリングする第１フィルタと、を備えることが好ましい。
【００１３】
ここで、前記受信機は、前記第１制御信号、第２制御信号及び第３制御信号を受信して、前記可変利得増幅部の利得を変化させる利得制御器をさらに備えることが好ましい。
【００１４】
また、本発明に係る増幅利得制御装置は、可変利得増幅部、周波数変換部及びフィルタ部を備える受信機に備えられ、前記可変利得増幅部の利得を制御する。この増幅利得制御装置は、前記可変利得増幅部で増幅された信号の電力を検出して、その検出結果に応じて第１制御信号を出力する第１補償手段と、前記周波数変換部で周波数変換された信号の強度を検出して、その検出結果に応じて第２制御信号を出力する第２補償手段と、前記フィルタ部でフィルタリングされた信号の強度を検出して、その検出結果に応じて第３制御信号を出力する第３補償手段と、を備え、前記第１制御信号、第２制御信号及び第３制御信号によって前記可変利得増幅部の利得が変化することを特徴とする。
【００１５】
その他、実施形態の具体的な事項は、詳細な説明及び図面に含まれている。本発明の利点及び特徴、そしてそれらを達成する方法は、添付する図面と共に詳細に後述されている実施形態を参照すると、明確になるはずである。しかしながら、本発明は以下に開示される実施形態に限定されるものではなく、異なる多様な形態で具現されることができる。明細書全体にわたって同一の構成要素には同一の参照符号を付してある。
【発明の効果】
【００１６】
本発明の受信機および増幅利得制御装置によれば、受信性能が向上するという効果がある。
【発明を実施するための最良の形態】
【００１７】
以下、本発明のもっとも好ましい実施形態を添付する図面を参照して説明する。図２は、本発明の第１の実施形態に係る受信機を示すブロック図である。
【００１８】
（１）本発明の第１の実施形態に係る受信機２００の構成は、次のとおりである。
【００１９】
本発明の第１の実施形態に係る受信機２００は、受信部２１０及び利得制御部２２０を備える。
【００２０】
受信部２１０は、可変利得増幅部２４１、混合部２４２（本発明の周波数変換部）、フィルタ部２１５及び可変増幅器２１６を備える。可変利得増幅部２４１は、低雑音増幅器２１１及び利得増幅器２１２を備えることが好ましい。混合部２４２は、混合器２１３及び第１フィルタ２１４を備えることが好ましい。
【００２１】
利得制御部２２０は、第１補償手段２３１、第２補償手段２３２、第３補償手段２３３及び利得制御器２２７を備える。第１補償手段２３１は、電力検出部２２１及び第１比較部２２２を備える。第２補償手段２３２は、第１受信信号強度指示器２２３及び第２比較部２２４を備える。第３補償手段２３３は、第２受信信号強度指示器２２５及び第３比較部２２６を備える。
【００２２】
（２）本発明の第１の実施形態に係る受信機２００の接続関係は、次のとおりである。
【００２３】
可変利得増幅部２４１の入力端に無線周波数（Ｒａｄｉｏ  Ｆｒｅｑｕｅｎｃｙ）信号ＩＮが印加される。可変利得増幅部２４１の出力端は、第１ノードＮ１に接続される。混合部２４２の入力端は、第１ノードＮ１に接続される。混合部２４２の出力端は、第２ノードＮ２に接続される。フィルタ部２１５の入力端は、第２ノードＮ２に接続される。フィルタ部２１５の出力端は、第３ノードＮ３に接続される。可変増幅器２１６の入力端は、第３ノードＮ３に接続される。可変増幅器２１６の出力端を介して、中間周波数信号ＯＵＴが出力される。
【００２４】
電力検出部２２１の入力端は、第１ノードＮ１に接続される。電力検出部２２１の出力端は、第１比較部２２２の入力端に接続される。第１比較部２２２の制御入力端には、第１基準信号が印加される。第１比較部２２２の出力端は、利得制御器２２７の第１入力端に接続される。
【００２５】
第１受信信号強度指示器（ＲＳＳＩ）２２３の入力端は、第２ノードＮ２に接続される。第１受信信号強度指示器２２３の出力端は、第２比較部２２４の入力端に接続される。第２比較部２２４の制御入力端には、第２基準信号が印加される。第２比較部２２４の出力端は、利得制御器２２７の第２入力端に接続される。
【００２６】
第２受信信号強度指示器（ＲＳＳＩ）２２５の入力端は、第３ノードＮ３に接続される。第２受信信号強度指示器２２５の出力端は、第３比較部２２６の入力端に接続される。第３比較部２２６の制御入力端には、第３基準信号が印加される。第３比較部２２６の出力端は、利得制御器２２７の第３入力端に接続される。
【００２７】
利得制御器２２７の第１出力端及び第２出力端は、可変利得増幅部２４１の利得制御端に接続される。
【００２８】
（３）本発明の第１の実施形態に係る受信機２００の動作は、次のとおりである。
【００２９】
増幅部２４１は、無線周波数信号ＩＮを増幅する。ここで、増幅部２４１の低雑音増幅器２１１は、無線周波数信号ＩＮの雑音を最小化するよう増幅し、利得増幅器２１２はプログラマブル増幅器を含み、低雑音増幅器２１１で増幅された無線周波数信号ＩＮをさらに増幅する。
【００３０】
電力検出部２２１は、利得増幅器２１２で増幅された無線周波数信号ＩＮレベルを検出して、電力検出信号ＶＯＵＴ１レベルを出力する。第１比較部２２２は、電力検出部２２１から出力された電力検出信号ＶＯＵＴ１レベルと第１基準信号レベルとを比較して、利得制御器２２７の第１入力端に第１制御信号を印加する。ここで、第１基準信号は、外部から提供される第１ハイレベル信号ＶＨ１及び第１ローレベル信号ＶＬ１を含む信号である。
【００３１】
混合部２４２は、利得増幅器２１２で増幅された無線周波数信号ＩＮを局部発振器（図示せず）で発振された局部周波数と混合して、中間周波数（ＩＦ）に周波数変換（ｄｏｗｎ  ｃｏｎｖｅｒｓｉｏｎ）する。ここで、混合部２４２は、周波数変換された中間周波数信号（ＩＦ）に隣接しない信号をフィルタリングするよう第１フィルタ２１４をさらに備える。
【００３２】
第１受信信号強度指示器２２３は、混合部２４２から出力された信号の第１受信強度検出信号ＶＯＵＴ２レベルを出力する。第２比較部２２４は、第１受信信号強度指示器２２３から出力された第１受信強度検出信号ＶＯＵＴ２レベルと第２基準信号レベルとを比較して、利得制御器２２７の第２入力端に第２制御信号を印加する。ここで、第２基準信号は、外部から提供される第２ハイレベル信号ＶＨ２及び第２ローレベル信号ＶＬ２を含む信号である。
【００３３】
フィルタ部２１５は、受信しようとする周波数の信号のみをフィルタリングする。
【００３４】
第２受信信号強度指示器２２５は、受信しようとする信号の第２受信強度検出信号ＶＯＵＴ３レベルを出力する。第３比較部２２６は、第２受信信号強度指示器２２５から出力された第２受信強度検出信号ＶＯＵＴ３レベルと第３基準信号レベルとを比較して、利得制御器２２７の第３入力端に第３制御信号を印加する。ここで、第３基準信号は、外部から提供される第３ハイレベル信号ＶＨ３及び第３ローレベル信号ＶＬ３を含む信号である。
【００３５】
利得制御器２２７は、第１〜第３入力端に印加された第１〜第３制御信号を利用して、可変利得増幅部２４１の利得を変更する。ここで、第１〜第３比較部２２２、２２４、２２６の動作に関する詳細な説明は、図３Ａ〜図３Ｃで詳細に説明する。
【００３６】
図３Ａは、本発明の第１の実施形態に係る受信機の第１補償手段２３１のブロック図である。図３Ａに示すように、本発明の第１の実施形態に係る受信機の第１補償手段２３１は、電力検出部２２１及び第１比較部２２２を備える。電力検出部２２１により検出されて出力される電力検出信号ＶＯＵＴ１レベルは、増加領域（Ｉｎｃｒｅａｓｅ  Ｚｏｎｅ）、無変化領域（Ｈｏｌｄ  Ｚｏｎｅ）及び減少領域（Ｄｅｃｒｅａｓｅ  Ｚｏｎｅ）に区分される。第１比較部（２２２）は電力検出信号ＶＯＵＴ１と、第１ハイレベル信号ＶＨ１及び第１ローレベル信号ＶＬ１の大きさを比較して、利得制御器２２７によって可変利得増幅部２４１の利得が変更されるように第１制御信号値を出力する。電力検出信号ＶＯＵＴ１が第１ローレベル信号ＶＬ１より低い場合、電力検出信号ＶＯＵＴ１のレベルが増加領域にあることを表す制御信号を出力し、電力検出信号ＶＯＵＴ１が第１ローレベル信号ＶＬ１より高く、第１ハイレベル信号ＶＨ１より低い場合、電力検出信号ＶＯＵＴ１のレベルが無変化領域にあることを表す制御信号を出力し、電力検出信号ＶＯＵＴ１が第１ハイレベル信号ＶＨ１より高い場合、電力検出信号ＶＯＵＴ１のレベルが減少領域にあることを表す制御信号を出力する。
【００３７】
図３Ｂは、本発明の第１の実施形態に係る受信機の第２補償手段２３２のブロック図である。図３Ｂに示すように、本発明の第１の実施形態に係る受信機の第２補償手段２３２は、第１受信信号強度指示器２２３及び第２比較部２２４を備える。第１受信信号強度指示器２２３により検出されて出力される第１受信強度検出信号ＶＯＵＴ２は、増加領域、無変化領域及び減少領域に区分される。第２比較部（２２４）は第１受信強度検出信号ＶＯＵＴ２と、第２ハイレベル信号ＶＨ２及び第２ローレベル信号ＶＬ２の大きさを比較して、利得制御器２２７によって可変利得増幅部２４１の利得が変更されるように第２制御信号値を出力する。第１受信強度検出信号ＶＯＵＴ２が第２ローレベル信号ＶＬ２より低い場合、第１受信強度検出信号ＶＯＵＴ２のレベルが増加領域にあることを表す制御信号を出力し、第１受信強度検出信号ＶＯＵＴ２が第２ローレベル信号ＶＬ２より高く、第２ハイレベル信号ＶＨ２より低い場合、 第１受信強度検出信号ＶＯＵＴ２のレベルが無変化領域にあることを表す制御信号を出力し、第１受信強度検出信号ＶＯＵＴ２が第２ハイレベル信号ＶＨ２より高い場合、第１受信強度検出信号ＶＯＵＴ２のレベルが減少領域にあることを表す制御信号を出力する。
【００３８】
図３Ｃは、本発明の第１の実施形態に係る受信機の第３補償手段２３３のブロック図である。図３Ｃに示すように、本発明の第１の実施形態に係る受信機の第３補償手段２３３は、第２受信信号強度指示器２２５及び第３比較部２２６を備える。第２受信信号強度指示器２２５により検出されて出力される第２受信強度検出信号ＶＯＵＴ３は、増加領域、無変化領域及び減少領域に区分される。第３比較部（２２６）は第２受信強度検出信号ＶＯＵＴ３と、第３ハイレベル信号ＶＨ３及び第３ローレベル信号ＶＬ３の大きさを比較して、利得制御器２２７によって可変利得増幅部２４１の利得が変更されるように第３制御信号値を出力する。第２受信強度検出信号ＶＯＵＴ３が第３ローレベル信号ＶＬ３より低い場合、第２受信強度検出信号ＶＯＵＴ３のレベルが増加領域にあることを表す制御信号を出力し、第２受信強度検出信号ＶＯＵＴ３が第３ローレベル信号ＶＬ３より高く、第３ハイレベル信号ＶＨ３より低い場合、第２受信強度検出信号ＶＯＵＴ３のレベルが無変化領域にあることを表す制御信号を出力し、第２受信強度検出信号ＶＯＵＴ３が第３ハイレベル信号ＶＨ３より高い場合、第２受信強度検出信号ＶＯＵＴ３のレベルが減少領域にあることを表す制御信号を出力する。
【００３９】
図４は、本発明の第１の実施形態に係る受信機２００の第１〜第３補償手段２３１、２３２、２３３の動作を説明するための図である。図４には、入力パワーＰｉｎと、電力検出部２２１、第１受信信号強度指示器２２３及び第２受信信号強度指示器２２５によってそれぞれ検出されて出力される検出信号ＶＯＵＴとの関係が示されている。図４には、入力パワーＰｉｎとの関係で増加領域、無変化領域及び減少領域が示されているが、ハイレベル信号ＶＨおよびローレベル信号ＶＬが設定されると検出信号ＶＯＵＴがどの領域に属するかが規定される。ここで、検出信号ＶＯＵＴは、電力検出信号ＶＯＵＴ１、第１受信強度検出信号ＶＯＵＴ２及び第２受信強度検出信号ＶＯＵＴ３で独立にマッピングが可能である。便宜上一つの図面に示したが、電力検出信号ＶＯＵＴ１、第１受信強度検出信号ＶＯＵＴ２及び第２受信強度検出信号ＶＯＵＴ３の各々に対し、増加領域、無変化領域及び減少領域は互いに独立に定義される。すなわち、ハイレベル側の基準信号のＶＨ１〜ＶＨ３をそれぞれ別個の値に設定可能であり、ローレベル側の基準信号のＶＬ１〜ＶＬ３をそれぞれ別個の値に設定可能である。
【００４０】
この受信機２００では、電力検出信号ＶＯＵＴ１、第１受信強度検出信号ＶＯＵＴ２及び第２受信強度検出信号ＶＯＵＴ３が、増加領域、無変化領域又は減少領域のどの領域に属するかによって、利得制御器２２７から制御信号が出力され、可変利得増幅部２４１の利得が調整される。例えば、電力検出信号ＶＯＵＴ１、第１受信強度検出信号ＶＯＵＴ２及び第２受信強度検出信号ＶＯＵＴ３のうちいずれか一つでも減少領域にある場合、利得制御器２２７は可変利得増幅部２４１の利得を減少させる。また、電力検出信号ＶＯＵＴ１、第１受信強度検出信号ＶＯＵＴ２及び第２受信強度検出信号ＶＯＵＴ３のうちいずれも減少領域におらず、電力検出信号ＶＯＵＴ１、第１受信強度検出信号ＶＯＵＴ２及び第２受信強度検出信号ＶＯＵＴ３のうちいずれか一つでも無変化領域にある場合、可変利得増幅部２４１の利得を変化させずに、一定に維持させる。また、電力検出信号ＶＯＵＴ１、第１受信強度検出信号ＶＯＵＴ２及び第２受信強度検出信号ＶＯＵＴ３の全てが増加領域にある場合、可変利得増幅部２４１の利得を増加させる。
【００４１】
図５は、本発明の第１の実施形態に係る受信機２００における受信部２１０の動作と利得制御部２２０の検出電力を概略的に説明するために示す図であって、横軸は周波数を、縦軸は信号レベルを示す。図５に示すように、受信機２００の入力端に無線周波数ＩＮ信号（４０１）が印加される（４００Ａ）。ここで、受信機２００の可変利得増幅部２４１は、無線周波数ＩＮ信号を、雑音を減少させた上で増幅する。電力検出部２２１は、可変利得増幅部２４１によって増幅された無線周波数ＩＮ信号（４０２）の電力を検出する（４００Ｂ）。このような構成によって、受信機２００が安定的に動作することができる。次に、無線周波数ＩＮ信号（４０２）は、混合器２１３によって中間周波数（ＩＦ）信号（４０３）に周波数変換される。第１フィルタ２１４は、無線周波数ＩＮ信号に近接しない信号を除去するために、混合器２１３によって混合された中間周波数（ＩＦ）信号のうち低域の広帯域のみを通過させる（４００Ｃ）。第１受信信号強度指示器２２３は、第１フィルタ２１４によってフィルタリングした中間周波数（ＩＦ）信号（４０４）の電力を検出する（４００Ｄ）。このような構成は、中間周波数（ＩＦ）のうち低域の広帯域のみを通過させて、受信しようとする無線周波数ＩＮ信号から遠く離れた信号の電力が検出されるのを防止する。第２フィルタ２１５は、無線周波数ＩＮ信号以外の信号を除去するために、中間周波数（ＩＦ）信号（４０４）の低域の狭帯域のみを通過させる（４００Ｅ）。第２受信信号強度指示器２２５は、第２フィルタ２１５によってフィルタリングした中間周波数（ＩＦ）信号（４０５）の電力を検出する（４００Ｆ）。このような構成は、中間周波数（ＩＦ）の低域の狭帯域のみを通過させて、受信しようとする無線周波数ＩＮ信号の電力のみが検出されるようにする。
【００４２】
なお、本発明は、上記の実施形態に限定されるものではなく、本発明に係る技術的思想から逸脱しない範囲内で様々な変更が可能であり、それらも本発明の技術的範囲に属する。
【図面の簡単な説明】
【００４３】
【図１】従来の自動利得制御回路を備える 受信機のブロック図である。
【図２】本発明の第１の実施形態に係る受信機を示すブロック図である。
【図３Ａ】本発明の第１の実施形態に係る受信機の第１補償手段のブロック図である。
【図３Ｂ】本発明の第１の実施形態に係る受信機の第２補償手段のブロック図である。
【図３Ｃ】本発明の第１の実施形態に係る受信機の第３補償手段のブロック図である。
【図４】本発明の第１の実施形態に係る受信機の第１〜第３補償手段の動作を説明するための図である。
【図５】本発明の第１の実施形態に係る受信機における受信部の動作と利得制御部の検出電力を概略的に説明するために示した図である。
【符号の説明】
【００４４】
２００      受信機
２１０      受信部
２１１      低雑音増幅器
２１２      利得増幅器
２１３      混合器
２１４      第１フィルタ
２１５      第２フィルタ
２１６      可変増幅器
２２０      利得制御部
２２１      電力検出部
２２２      第１比較部
２２３      第１受信信号強度指示器
２２４      第２比較部
２２５      第２受信信号強度指示器
２２６      第３比較部
２２７      利得制御器
２３１      第１補償手段
２３２      第２補償手段
２３３      第３補償手段
２４１      可変利得増幅部
２４２      混合部
【図１】
2008054314.tif 000003
【図２】
2008054314.tif 000004
【図３Ａ】
2008054314.tif 000005
【図３Ｂ】
2008054314.tif 000006
【図３Ｃ】
2008054314.tif 000007
【図４】
2008054314.tif 000008
【図５】
2008054314.tif 000009